(57)【特許請求の範囲】
【請求項１】
将来送信される予定の複数のデータについて該データの送信時刻及び識別子を示す受信制御情報、映像音声データ、又はその他のデータが格納されるデータ部分と、該データ部分に格納されている情報の種類を示す情報を含む放送識別部分と、を有するデータ信号を受信する方法であって、
受信予約時刻を記憶手段に記録するステップと、
スタンバイ状態において、前記データ信号を受信するステップと、
前記受信したデータ信号の放送識別部分を参照して該受信したデータ信号のデータ部分に格納されている情報の種類を判断するステップと、
前記受信したデータ信号の前記データ部分が受信制御情報を表すと判断した場合に、該データ部分を復号し、該復号した受信制御情報に基づいて前記記憶手段に記憶された受信予約情報を更新するするステップと、
を有することを特徴とするデータ信号を受信する方法。
【請求項２】
請求項１に記載のデータ信号を受信する方法において、
前記受信制御情報は、前記映像音声データをそれぞれ識別するための番組識別データ及び当該映像音声データの送信日時に関する時刻情報データを有すること、
を特徴とするデータ信号を受信する方法。
【請求項３】
請求項２に記載のデータ信号を受信する方法において、
前記番組識別データは、放送局識別データまたは放送チャネルデータのいずれか一方、映像音声データ番号データ、及びサービス番号データ、を含み、
前記時刻情報データは、前記映像音声データが送信される時刻を示す送出時刻データ、及び少なくとも該映像音声データと同一のデータが再送される時刻を示す再送時刻データ又は一定の時間間隔で当該映像音声データを再送する場合の当該時間間隔を示す間欠送出データのいずれか一方を含むこと、
を特徴とするデータ信号を受信する方法。
【請求項４】
請求項１、２または３に記載のデータ信号を受信する方法において、
前記データ信号のデータ部分には、更に現在時刻を示す時刻信号放送が格納され、
前記処理手段は、該受信したデータ信号の放送識別部分を参照した結果、前記受信したデータ信号のデータ部分に前記時刻信号放送が格納されていると判断した場合に、該時刻信号放送に基づいて内部時計の時刻を較正すること、
を特徴とするデータ信号を受信する方法。
【請求項５】
将来送信される予定の複数のデータについて該データの送信時刻及び識別子を示す受信制御情報、映像音声データ、又はその他のデータが格納されるデータ部分と、該データ部分に格納されている情報の種類を示す情報を含む放送識別部分と、を有するデータ信号を受信するデータ信号受信機であって、
受信予約情報を記憶する記憶手段と、
前記データ信号を受信する受信手段と、
前記受信したデータ信号の放送識別部分を参照して該受信したデータ信号のデータ部分に格納されている情報の種類を判断する処理手段と、
前記受信したデータ信号を復号する復号手段と、
を有し、
前記処理手段は、スタンバイ状態において、前記受信手段にデータ信号を受信させ、該受信したデータ信号の放送識別部分を参照した結果、前記受信したデータ信号のデータ部分に前記受信制御情報が格納されていると判断した場合に、前記復号手段に該データ部分を復号させ、該復号された受信制御情報に基づいて前記記憶手段に記憶された受信予約情報を更新すること、
を特徴とするデータ信号受信機。
【請求項６】
請求項５に記載のデータ信号受信機において、
前記受信制御情報は、前記映像音声データをそれぞれ識別するための番組識別データ及び当該映像音声データの送信日時に関する時刻情報データを有すること、
を特徴とするデータ信号受信機。
【請求項７】
請求項６に記載のデータ信号受信機において、
前記番組識別データは、放送局識別データまたは放送チャネルデータのいずれか一方、映像音声データ番号データ、及びサービス番号データ、を含み、
前記時刻情報データは、前記映像音声データが送信される時刻を示す送出時刻データ、及び少なくとも該映像音声データと同一のデータが再送される時刻を示す再送時刻データ又は一定の時間間隔で当該映像音声データを再送する場合の当該時間間隔を示す間欠送出データのいずれか一方を含むこと、
を特徴とするデータ信号受信機。
【請求項８】
請求項５、６または７に記載のデータ信号受信機において、
前記データ信号のデータ部分には、更に現在時刻を示す時刻信号放送が格納され、
前記処理手段は、該受信したデータ信号の放送識別部分を参照した結果、前記受信したデータ信号のデータ部分に前記時刻信号放送が格納されていると判断した場合に、該時刻信号放送に基づいて内部時計の時刻を較正すること、
を特徴とするデータ信号受信機。
【発明の詳細な説明】
【０００１】
【発明の属する技術分野】
本発明は、複数パケットにより構成されるフレームの形態でデータを伝送するデータ伝送方法であって、該データは各パケットの同一ビット位置でインターリーブされて伝送されるデータ放送を受信するデータ放送受信機の受信制御方法に関する。
【０００２】
【従来の技術】
現在、高速移動中に地上データ放送の受信を可能とするＴＶデータ多重放送音声副搬送波方式が検討されている。これは、テレビジョン信号の音声信号帯域内のデータ信号副搬送波４．５ｆＨ及び７．５ｆＨ（ｆＨ＝１５．７３ｋＨｚ：水平同期パルス周波数）を伝送路として地上データ放送を行うものである。このような地上データ放送の番組としては、以下のようなものが検討されている。
１）電子メイルサービス
２）新聞、雑誌、ＴＶプログラム等のニュース
３）コンサート、映画、レストラン、ホテル等の空き情報
４）電車やバス等の時刻、遅延、座席の空き等の情報
５）交通渋滞、駐車場、ガソリンスタンド、トイレ、カーショップ等の情報
６）公共施設、病院、観光案内場等の情報
７）バーゲンセール等のショッピング情報
８）競馬、競輪等の娯楽遊興情報
９）株価等のファイナンス情報
１０）ＭＩＤＩデータ、ゲーム等のソフトウェア
１１）グループ、会社、学校等の限定された人々を対象とするいわゆるナローキャスト(narrow cast)
１２）地震、津波、火事等の災害情報
１３）スポーツ等の実況中継
１４）無線呼出し（ページャ）
しかし、無論こればかりではなく、番組は将来より多様化の方向に進むものと考えられる。
【０００３】
このＴＶデータ多重放送音声副搬送波方式において、データは、図１に示されるようなフレームの形態で伝送される。この場合、１フレームは、１６ビットのフレーミングコード（フレーム同期信号）（ＦＣ）と１データパケット（２８８ビット）×３２行（パケット）の、計９２３２ビットから構成される。また、１データパケットは、１６ビットのモードコントロール（ＭＣ）、１４ビットのプリフィックス（ＰＦ）、１７６ビットのサービスデータ（ＤＡＴ）及び誤り訂正用のチェック符号ビット（ＣＨＣ）から構成される。
【０００４】
ＴＶデータ多重放送副搬送波方式においては、誤り対策のために、フレーム同期信号ＦＣの送信の後、１データパケット毎にデータが伝送されるのではなく、図１において矢印により示されるように、縦方向に３２の深さでインターリーブされてデータが伝送される。すなわち、フレーム同期信号送信の後、当該フレーム第１行パケットのＭＣの最上位ビットデータが伝送された後、該フレーム第２行パケットのＭＣの最上位ビットデータが伝送され、以下同様に、第３２行パケットのＭＣの最上位ビットデータが伝送された後、該フレーム第１行パケットのＭＣの最上位ビットの次位ビットのビットデータが伝送される。しかしながら、各パケットのデータ復号を行うためには該パケットが属するフレーム全てのデータを受信する必要性が課される。
【０００５】
また、上述のようにＭＣは１６ビットからなるが、詳細には、情報ビットとして５ビット及び、誤り訂正ビットとして１１ビットが割当てられている。図２は、ＴＶデータ多重放送音声副搬送波方式において現在定義されているＭＣの情報ビットを示している。図２において、ｂ１〜ｂ５は、ＭＣの上位５ビットを表し、ｂ１が最上位ビットである。図２から分かるように、現在５つの放送しか定義されていないが、これは将来多様化が進み、さらなる増加が予想される。
【０００６】
ところで、上述のようなデータ放送の番組には、該番組の放送時刻または受信可能時刻が限定されるようなものがある。このような番組を受信する場合、当該受信機がデータ放送の受信可能時間外で動作し続けることは、大幅に電力を消費することになり、特に移動受信用の受信機において不利である。また、前記受信可能時間のみ、手動により当該受信機を受信可能とすることもできるであろうが、これは煩雑な操作である。
【０００７】
【発明の目的及び概要】
本発明は、前述のようなデータ放送において、放送時刻または受信可能時刻が限定されるような番組を受信する場合、該番組を受信するための受信機の通電時間を自動的に必要最小限に抑えることができるデータ放送受信機の受信制御方法を提供することにある。
【０００８】
上述の目的を達成するために、本発明は、少なくともデータ部と該データ部に先立ち伝送される放送識別部とからなるパケット複数個により構成される、フレーム識別部を有するフレーム形態でデータを伝送するデータ放送であって、前記フレーム識別部以外の前記データは各パケットの同一ビット位置でインターリーブされて伝送されるデータ放送を受信するデータ放送受信機の受信制御方法において、前記受信機が、制御装置の制御の下、フレームのフレーム識別部を検出し、フレーム同期を確立した場合、放送識別部のデータをインターリーブ解除及びデコードし、デコードされた前記放送識別部データが受信制御情報放送を識別する識別子を持つ場合、データ部に含まれる番組識別データ及び時刻情報データをインターリーブ解除及びデコードし、デコードされた所定の前記番組識別データ及びこの番組識別データに関連する時刻情報データに基づき、該時刻情報データから規定される時刻まで前記受信機はスタンバイ状態となり、前記規定時刻が到来した場合、前記受信機は再度受信可能状態となるように制御されることを特徴とする。
【０００９】
本願第２の発明によれば、前記番組識別データは、番組番号データ、サービス番号データ、放送局識別データ及び／または放送チャネルデータから構成され、前記時刻情報データは、送出時刻データ、再送時刻データ及び／または間欠送出データから構成されることを特徴とする。
【００１０】
本願第３の発明によれば、前記受信機の受信制御が、番組のカテゴリに基づいて、段階的に前記受信制御情報放送を受信することにより行われることを特徴とする。
【００１１】
本願第４の発明によれば、前記受信機は、受信可能時に、時刻信号放送の識別子を含有する前記放送識別部を認識した場合、当該パケットのデータ部に含有される時刻情報により内部時計の時刻を較正することを特徴とする。
【００１２】
本願第５の発明によれば、前記規定時刻よりも多少早く前記受信機は再度受信可能状態となることを特徴とする。
【００１３】
【発明の実施の形態】
本発明の方法を、ＴＶデータ多重放送音声副搬送波方式におけるデータ放送において、放送時刻（または、以下では述べられないが、受信可能時刻）が限定される番組の受信を目的とした受信機の受信制御方法について具体的に説明する。
【００１４】
図２から分かるように、ＴＶデータ多重放送音声副搬送波方式においては、現在、５つの放送がＭＣで定義されている。本発明によれば、ある時刻のみ特定の番組を受信するために、該番組の放送時刻を指定する受信制御情報放送がさらに割当てられる。この受信制御情報放送により送られてくる受信制御情報は、サービスデータＤＡＴ内に含まれ、当該データパケットのＭＣに受信制御情報放送を識別する識別子（ビットパターン）が割当てられる。
【００１５】
ＭＣにおける受信制御情報放送を識別するビットパターンは、図２に示される５つのビットパターン以外の残りのパターンであれば、どのようなパターンでも良い。すなわち、”１０１１１”、”１０１００”等である。しかしながら、図２に示されるファクシミリ放送及びファクシミリ有料は、データ放送及びデータ有料における番組の一つとして享受できるようなものである。従って、前記受信制御情報放送のビットパターンは、ファクシミリ放送及びファクシミリ有料のビットパターン、すなわち、”００００１”及び”１０００１”の何れかのパターンであっても差し支えないであろう。
【００１６】
受信制御情報は、１番組毎に、例えば、番組番号（例えば、１６ビット）、サービス番号（例えば、８ビット）、放送局識別（例えば、１２ビット）、放送チャネル（例えば、１０ビット）、送出時刻（例えば、２４ビット）、再送時刻（例えば、１６ビット）のデータ等から構成される。番組番号、サービス番号、放送局識別、放送チャネルに関する説明は、平成８年１１月２５日、郵政省より発行された”平成８年度  電気通信技術審議会答申”の２２〜２３ページを参照されたい。送出時刻データは、番組が放送される時刻を指示し、再送時刻データは、この番組と同一内容の番組が再送されてくる時刻を指示する。再送時刻データに関しては、一つのみに限定されず、複数指定、例えば、再送時刻１、再送時刻２．．．と指定されても良いであろう。ここで、一つのデータパケット（ＤＡＴ）に、一つの番組の受信制御情報データを含有させても良いことに注意されたい。
【００１７】
本発明は、上述のような受信制御情報放送により得られる受信制御情報に基づいて受信機の受信制御を行うものである。以下、この制御方法について詳しく述べる。
【００１８】
図３は、ＴＶデータ多重放送音声副搬送波方式におけるデータ放送を受信する受信機の一例のブロック図を示している。この受信機には、アンテナ１を介して受信されるテレビジョン信号の音声信号の周波数同調を行うチューナ２が設けられている。チューナ２には、該チューナ２から出力される前記音声信号のＦＭ検波を行うＦＭ検波部３が接続される。ＦＭ検波部３には、このＦＭ検波された信号からさらにデータ信号副搬送波４．５ｆＨ及び７．５ｆＨを得るためのフィルタ部４が接続されている。ＴＶデータ多重放送音声副搬送波方式においては、前記データ信号副搬送波がＱＰＳＫ変調されているため、この副搬送波の復調を行うためのＱＰＳＫ復調部５がフィルタ部４に接続されている。ＱＰＳＫ復調部５からは、複数パケットで構成されるフレーム構成で且つインターリーブされたフレームデータが出力される。
【００１９】
前記フレームデータのフレーム同期を行うために該フレームのＦＣを検出するフレーミング部６が、ＱＰＳＫ復調部５に接続されている。このフレーミング部６は、タイマ及び比較回路を有するようなカウンター一致回路であり、ひとたびＦＣを認識した後、該フレームのビット数、すなわち、９２３２ビットをカウントする。フレーミング部６は、このカウントに基づいて、次のＦＣが入力されることを検出するように構成されている。フレーミング部６には、前記フレームのデータのインターリーブを解除するためのデインターリーブ部７が接続されている。デインターリーブ部８には、インターリーブ解除された前記フレームの各パケットのデータ復号を行うためのデコード部８が接続されている。デコード部８においてデコードされたデータは、図示せず表示装置等に出力９を介して送られる。
【００２０】
前述のチューナ２、ＦＭ検波部３、フィルタ部４、ＱＰＳＫ復調部５、フレーミング部６、デインターリーブ部７及びデコード部８の動作は全て、中央演算処理装置（ＣＰＵ）１０により制御される。このＣＰＵ１０にはさらに、メモリ１１及び内部時計１２が接続されている。なお、ＣＰＵ１０には、当該受信機が受信可能な番組に関する番組識別データ（番組番号データ、サービス番号データ、放送局識別データ、放送チャネルデータ等）の情報が記憶されているＲＯＭ１３も接続されている。
【００２１】
前記受信機の電源がＯＮされる、すなわち、該受信機を構成する各要素が全て電源ＯＮされた場合、該受信機は、ＣＰＵ１０の制御の下、フレームのＦＣ検出モードに入る。すなわち、フレーミング部６が、あるフレームのＦＣを検出する。フレーム同期した場合、このフレームデータは、デインターリーブ部７においてインターリーブ解除され、該フレームのパケットのＭＣがデコード部８においてデコードされる。ＭＣが受信制御情報放送を識別するビットパターンを持たない場合、デコード処理はこのＭＣの受信のみで終了し、再度、受信制御情報放送を受信するまで各要素はＯＮ状態のままである。
【００２２】
ＭＣが受信制御情報放送を識別するビットパターンを含む場合、デコード部８は当該パケットのＤＡＴのデコード処理を行う。すなわち、メモリ１１内に各受信制御情報の各データのテーブルが作成される。ここで、ＣＰＵ１０は、このテーブルと、ＲＯＭ１３に記憶されている番組識別データ情報と比較する。受信したい番組のデータを前記テーブルに確認し、該番組の送出時刻を該テーブルから抽出した場合、この時刻が到来するまで、当該受信機はスタンバイ状態、すなわち、該受信機を構成する各要素の動作が必要最小限に止められる。ＣＰＵ１０は、内部時計１２を監視するために、パワーセーブモードで動作し続けることに注意されたい。この後、内部時計１２から前述の時刻を認識すると、ＣＰＵ１０の制御の下、当該受信機の各要素は再びＯＮされ、所定のデータ放送の番組を受信する。なお、この各要素の再起動時刻は、前記記憶された時刻より多少早いことが好ましい。
【００２３】
もし、番組を受信しなかった場合には、該番組が再送出される時刻が前記テーブルの関連する受信制御情報データの再送出時刻データから抽出され、再受信を試みる。そして、受信機の各要素の動作は、再度、必要最小限に抑えられる。
【００２４】
以上のように受信制御情報に基づいて当該受信機のデータ放送受信を自動的に制御することができ、この結果、該受信機の大幅な電力消費の削減を達成することができる。
【００２５】
一応用例として、受信制御情報放送自体を一番組と特定し、番組番号データが、この受信制御情報放送を識別するためのデータであっても良い。この場合、送出時刻データ及び再送時刻データが、受信制御情報放送の次回の放送時刻及び該次回の受信制御情報放送の再送時刻を指示しても良い。この場合も、再送時刻は、例えば再送時刻１、再送時刻２．．．と複数指定されても良いであろう。
【００２６】
また、一応用例として、段階的に、すなわち、全カテゴリの番組を個別に識別するのではなく、第１段階として、各カテゴリに対応する受信制御情報（第１受信制御情報）を受信し、第２段階として、各カテゴリに含有される複数番組から所望の番組の受信制御情報（第２受信制御情報）を受信することにより、当該受信機のデータ放送の受信制御が行われるようにしても良い。すなわち、第１受信制御情報の放送により、番組番号データが、例えば、第１受信制御情報放送であることを指定するデータであり、サービス番号データが、例えば、カテゴリを特定するデータであり、送出時刻が、例えば、このカテゴリに関する第２受信制御情報放送の送信時刻を指定するデータであるような受信制御情報が得られる。第２受信制御情報の放送により、サービス番号データが、例えば、あるカテゴリの第２受信制御情報であることを指定するデータであり、番組番号データが、例えば、前記カテゴリに属する当該番組を識別するためのデータであり、送信時刻データが、例えば、この番組の送信時刻を指定するデータであるような受信制御情報が得られる。当該受信機は、第１受信制御情報放送を受信した場合、所望の受信制御情報データのサービス番号データ及び送信時刻データから所望のカテゴリの第２の受信制御情報放送の送信時刻を認識し、該時刻までスタンバイ状態となる。そして、前記第２受信制御情報放送の到来時刻になると、前記受信機は再起動し、該第２受信制御情報放送により得られる受信制御情報データから、所望の番組の送信時刻を確認し、この送信時刻まで再度スタンバイ状態となる。
【００２７】
さらに、ＴＶデータ多重放送音声副搬送波方式においては、データ放送の一つに時刻信号放送、すなわち、絶対時刻情報の放送が規定されている。本発明においては内部時計の時刻が正確であることが重要であり、当該受信機の所定の番組受信可能時、時刻信号放送の受信により、前記内部時計１２の時刻が較正されることが好ましいであろう。この場合、時刻信号放送の識別子を、ＭＣにおいて、受信制御情報の識別子と同一ではない、例えば、”１０００１”または”００００１”と規定し、該パケットのＤＡＴに絶対時刻に関するデータを含有させることにより、時刻信号放送の識別が容易になるであろう。
【００２８】
また、受信制御情報データには、ある特定の時刻ではなく、例えば、一時間毎または一日毎のように一定の間隔で繰返し放送されるような番組の放送間隔を指示する間欠送出データが含まれても良い。すなわち、このような場組を受信する受信機においては、この間欠送出データにより規定される間隔で該受信機の各要素の動作が制御される。
【００２９】
さらに、例えば有料放送のような場合には、番組を受信するために加入者の個人ＩＤを設定する場合がある。このような番組の場合、受信制御情報データに、個人ＩＤに関するデータが含まれても良いであろう。
【００３０】
また、受信制御情報データに番組の終了時刻に関するデータが含まれ、受信機が該終了時刻に基づいて再びスタンバイ状態となるように構成されても良い。この場合、スタンバイ状態は、例えば、関連する再送時刻や、所望の番組の受信制御情報を再度受信し、該情報で規定される送出時刻まで継続されても良いであろう。
【図面の簡単な説明】
【図１】ＴＶデータ多重放送音声副搬送波方式におけるフレーム構成を示す図である。
【図２】ＴＶデータ多重放送音声副搬送波方式におけるＭＣで定義されている情報ビットを表す図である。
【図３】ＴＶデータ多重放送音声副搬送波方式におけるデータ放送を受信する受信機の一例のブロック図を示す図である。
【図１】
0003929553.tif 000002
【図２】
0003929553.tif 000003
【図３】
0003929553.tif 000004